(57)【要約】【課題】  冷暖房機と併用した場合に、消費電力の低減を図ることができる空気清浄機を提供する。【解決手段】  空気を吸入するための送風機８を備え、送風機８により吸入した空気を浄化し、吹出す空気清浄機。周囲温度を検出する温度センサ４２ａと、温度センサ４２ａで検出した温度が上昇し続ける時間または下降し続ける時間に応じて、送風機８の回転を制御する制御部４０とを設ける。【選択図】図１
2010002068.tif 000002
【特許請求の範囲】
【請求項１】
空気を吸入するための送風機を備え、該送風機により吸入した空気を浄化し、吹出す空気清浄機において、
周囲温度を検出する温度センサと、
該温度センサで検出した温度が上昇し続ける時間または下降し続ける時間に応じて、前記送風機の回転を制御する制御部とを設けたことを特徴とする空気清浄機。
【請求項２】
前記制御部は、前記温度センサで検出した温度が上昇し続ける時間または下降し続ける時間が基準時間を超えると、前記送風機の回転数を下げるように制御することを特徴とする請求項１に記載の空気清浄機。
【請求項３】
空気を吸入するための送風機を備え、該送風機により吸入した空気を浄化し、吹出す空気清浄機において、
周囲温度を検出する温度センサと、
該温度センサで検出した温度のハンチングの状態に応じて、前記送風機の回転を制御する制御部とを設けたことを特徴とする空気清浄機。
【請求項４】
前記制御部は、基準時間あたりの前記ハンチングの極大値および／または極小値の数に応じて、前記送風機の回転を制御することを特徴とする請求項３に記載の空気清浄機。
【請求項５】
前記制御部は、前記ハンチングの周期に応じて、前記送風機の回転を制御することを特徴とする請求項３または４に記載の空気清浄機。
【請求項６】
前記制御部は、前記ハンチングの振幅に応じて、前記送風機の回転を制御することを特徴とする請求項３〜５のいずれか１項に記載の空気清浄機。
【請求項７】
空気を吸入するための送風機を備え、該送風機により吸入した空気を浄化し、吹出す空気清浄機において、
本体上部に配置された接触式の第１温度センサと、
本体下部に配置された接触式の第２温度センサと、
前記第１温度センサと前記第２温度センサとで検出した温度の差に応じて、前記送風機の回転を制御する制御部とを設けたことを特徴とする空気清浄機。
【請求項８】
前記空気清浄機は、加湿機能を有することを特徴する請求項１〜７のいずれか１項に記載の空気清浄機。
【発明の詳細な説明】
【技術分野】
【０００１】
本発明は、空気を吸入して浄化した後、吹出す空気清浄機に関する。
【背景技術】
【０００２】
室内の空気には、塵埃、花粉及びタバコの煙等の、人体に有害な微粒子及び有害なガスが含まれている。近年、住宅の気密度が高まるに伴い、これらの微粒子又はガスが室内に滞留する度合いが増す一方で、積極的な換気が行われる機会は減少している。このような状況にあって、室内の空気を浄化する機能を有する空気浄化機の普及が進んでいる。
【０００３】
空気浄化機は、送風機の回転により、室内の空気をエアフィルタを通じて取り込み、その際に空気中の微粒子を捕集すると共に、有害なガスを吸着又は分解することにより、空気を浄化する。その後、イオン発生器より放出されたイオンを浄化された空気に含ませることもある。そして、浄化された空気は、空気浄化機の吹出口より再び室内に戻される。
【０００４】
空気浄化機の中には、室内の湿度を使用者に快適な値に調節するために、加湿機能を併せ持つものがある。加湿機能を有する空気浄化機では、内部の通気路の一部又は全部を遮るように、水を含ませた加湿フィルタを配置してあり、前記エアフィルタにより浄化された空気が、当該加湿フィルタを通過する際に加湿されるようになっている（例えば、特許文献１参照）。
【０００５】
また、空気清浄機は、送風機の回転により、室内の空気をエアフィルタを通じて取り込み、空気を浄化した後、吹出口より再び室内に戻す機能を有しており、この空気の流れがサーキュレータとしても機能することが知られており、暖房時や冷房時に生じる室内の温度ムラを解消させるために用いられることがあった（例えば、特許文献２、特許文献３参照）。
【０００６】
この室内の温度ムラを室内の空気の循環を促すことにより解消すれば、暖房の場合は設定温度を１〜３℃低く、冷房の場合は１〜３℃高く設定しても同様の体感温度となり、省エネを実現することができる。
【特許文献１】特開２００６−４６７２９号公報
【特許文献２】特開２００１−４１５１８号公報
【特許文献３】特開２００１−５６１４７号公報
【発明の開示】
【発明が解決しようとする課題】
【０００７】
しかしながら、特許文献２に記載の温度センサが１つの構成においては、サーキュレート運転を停止するタイミングが予め設定した時間で制御されているので、室内の温度ムラが解消していない状態でサーキュレート運転が停止してしまうことがあり、その分冷暖房機の電力を余計に消費してしまっていた。また、冷暖房機を停止した場合でもサーキュレート運転が続いてしまうことがあり、その分空気清浄機の電力を余計に消費してしまっていた。
【０００８】
また、特許文献３に記載の温度センサが２つの構成においては、温度センサとして天井面等の輻射熱を検出する温度センサを用いている。このような非接触式の温度センサを用いると、天井面等が外部環境の影響を受けやすい場合、例えば天窓に対して検出を行うと、的確な温度検出ができない場合がある。また、天井面の蛍光灯に対して検出を行っても、的確な温度検出ができない場合がある。このような不具合があると、室内の温度ムラを低減する適切なサーキュレート運転の制御ができなくなってしまう。このような問題を解消するために、温度センサをスイングするように駆動機構を設けることが考えられるが、そうすると、余計な消費電力を消費したり、構造が複雑化して故障の原因になることが懸念される。
【０００９】
本発明は、冷暖房機と併用した場合に、消費電力の低減を図ることができる空気清浄機を提供することを目的とする。
【００１０】
また、本発明は、簡素な構造で、適切なサーキュレート運転の制御が可能な空気清浄機を提供することを目的とする
【課題を解決するための手段】
【００１１】
本発明に係る空気清浄機は、空気を吸入するための送風機を備え、該送風機により吸入した空気を浄化し、吹出す空気清浄機において、周囲温度を検出する温度センサと、該温度センサで検出した温度が上昇し続ける時間または下降し続ける時間に応じて、前記送風機の回転を制御する制御部とを設けたことを特徴とする。
【００１２】
上記発明によれば、温度が上昇し続ける時間または下降し続ける時間に応じて、例えば冷暖房機が動作を停止したと判断して、空気清浄機のサーキュレート機能が自動的に停止するように空気清浄機の送風機の回転を制御する。そのため、冷暖房中にサーキュレート運転が停止してしまうことがなくなり冷暖房機の消費電力を低減できる。また、冷暖房を停止したらサーキュレート運転も停止するので空気清浄機の消費電力も低減することができる。
【００１３】
また、温度制御においては、温度が設定値を上下動するようなハンチングという現象が一般的に発生する。このハンチングについて、本明細書では、振幅が時間経過に従って小さくなる場合も、大きくなる場合も、一定の場合もハンチングと称する。また、周期が時間経過に従って短くなる場合も、長くなる場合も、一定の場合もハンチングと称する。
【００１４】
このようなハンチングが冷暖房時に生じた場合、室内の温度ムラが少なくなり安定してくると、ハンチングの度合いが小さくなり、周期（隣り合う極大値の間の時間や隣り合う極小値の間の時間など）が長くなる。したがって、上記発明によれば、ハンチング状態において、温度が上昇し続ける時間または下降し続ける時間に応じて、ハンチングの度合いが小さくなり温度が安定状態に近づき、サーキュレート機能が不要と判断して、空気清浄機のサーキュレート機能が自動的に停止するように空気清浄機の送風機の回転を制御するようにいてもよい。これによれば、空気清浄機のサーキュレート機能を余計に動作させなくして、消費電力を低減できる。
【００１５】
本発明に係る空気清浄機は、上記の構成に加えて、前記制御部は、前記温度センサで検出した温度が上昇し続ける時間または下降し続ける時間が基準時間を超えると、前記送風機の回転数を下げるように制御することを特徴とする。
【００１６】
上記発明によれば、温度が上昇し続ける時間または下降し続ける時間が基準時間を超えると、例えば暖房機や冷房機が運転を停止したものと判断して、サーキュレート機能を自動的に停止するように空気清浄機の送風機の回転数を下げるように制御するので、より確実に冷暖房機の消費電力や空気清浄機の消費電力を低減することができる。
【００１７】
また、上記発明によれば、ハンチング状態において、温度が上昇し続ける時間または下降し続ける時間が基準時間を超えると、ハンチングの度合いが小さくなり温度が安定状態に近づき、サーキュレート機能が不要と判断して、空気清浄機のサーキュレート機能が自動的に停止するように空気清浄機の回転を制御するようにしてもよい。これによれば、空気清浄機のサーキュレート機能を余計に動作させなくして、消費電力を低減できる。
【００１８】
本発明に係る空気清浄機は、空気を吸入するための送風機を備え、該送風機により吸入した空気を浄化し、吹出す空気清浄機において、周囲温度を検出する温度センサと、該温度センサで検出した温度のハンチングの状態に応じて、前記送風機の回転を制御する制御部とを設けたことを特徴とする。
【００１９】
上記発明によれば、ハンチングの状態に応じて、冷暖房機が運転中か停止しているか、または冷暖房時に温度が安定状態に近いかを判断して、空気清浄機のサーキュレート機能が自動的に停止するように空気清浄機の回転を制御するので、空気清浄機のサーキュレート機能を余計に動作させなくして、消費電力を低減できる。
【００２０】
本発明に係る空気清浄機は、上記の構成に加えて、前記制御部は、基準時間あたりの前記ハンチングの極大値および／または極小値の数に応じて、前記送風機の回転を制御することを特徴とする。
【００２１】
上記発明によれば、基準時間あたりのハンチングの極大値および／または極小値の数に応じて、冷暖房機が運転中か停止しているか、または冷暖房時に温度が安定状態に近いか否かを的確に判断できるので、より確実に冷暖房機と空気清浄機の消費電力を低減できる。
【００２２】
本発明に係る空気清浄機は、上記の構成に加えて、前記制御部は、前記ハンチングの周期に応じて、前記送風機の回転を制御することを特徴とする。
【００２３】
上記発明によれば、ハンチングの周期に応じて、冷暖房機が運転中か停止しているか、または冷暖房時に温度が安定状態に近いか否かをより的確に判断できるので、より確実に冷暖房機と空気清浄機の消費電力を低減できる。
【００２４】
本発明に係る空気清浄機は、空気を吸入するための送風機を備え、該送風機により吸入した空気を浄化し、吹出す空気清浄機において、本体上部に配置された接触式の第１温度センサと、本体下部に配置された接触式の第２温度センサと、前記第１温度センサと前記第２温度センサとで検出した温度の差に応じて、前記送風機の回転を制御する制御部とを設けたことを特徴とする。
【００２５】
この種の空気清浄機の通常の高さは６０ｃｍ程度であるが、本発明者らは、この空気清浄機の本体の上下部のそれぞれに接触式温度センサを取り付ければ、５０ｃｍ程度の高低差を確保でき、それらの温度センサで温度検出を行えば、室内の温度ムラを十分に検出できることを見出した。
【００２６】
したがって、上記発明は、空気清浄機本体の上下部のそれぞれに配置された接触式の第１温度センサと第２温度センサとを用いて的確に温度検出し、それらの温度差に応じて空気清浄機の送風機の回転を制御できるので、簡素な構成で適切なサーキュレート運転の制御を可能とする。
【００２７】
なお、ここで、温度センサは、大別すれば、検出対象の物質に接触して温度を検出する接触式と、検出対象の物質に接触せずに温度を検出する非接触式との二つに分けられる。このうち、非接触式温度センサは、特許文献３に記載の輻射熱を検出するようなタイプが含まれ、一般に赤外線温度センサと呼ばれているものがある。一方、接触式温度センサとしては、白金測温抵抗体、サーミスタ、熱電対、ＩＣ化温度センサ（トランジスタの温度特性を利用したもの）、水晶温度計（クリスタルのＹカットを利用したもの）、水銀・アルコール温度計（熱膨張を利用したもの）などが挙げられるが、これらのうち、白金測温抵抗体、サーミスタ、熱電対、ＩＣ化温度センサ、水晶温度計等の検出結果を電気的に出力する電気式のものが本発明に好適である。
【００２８】
本発明に係る空気清浄機は、上記の構成に加えて、加湿機能を有することを特徴する。
【００２９】
加湿機能を有する空気清浄機は、通常湿度センサを備えている。そして、加湿機能付き空気清浄機の中には、温度に応じて湿度の設定値を変化させて、加湿制御を行うために、加えて温度センサを備えるものがある。
【００３０】
したがって、上記発明によれば、温度に応じて湿度の設定値を変化させて加湿制御を行う加湿機能付を有するものであれば、新たに温度センサを追加することなく、加湿制御に用いている温度センサを兼用することができる。
【発明を実施するための最良の形態】
【００３１】
〔実施形態１〕
以下、本発明に係る空気清浄機の実施の一形態について、図１〜６に基づいて説明する。ここでは、イオン放出機能を持ち空気加湿機能を有する空気清浄機を例に説明するが、本発明はこれに限定されるものではなく、サーキュレート機能を有するものであれば如何なる空気清浄機にも適用が可能である。
【００３２】
まず、空気清浄機の構造について説明する。図１は、本実施形態の空気清浄機を正面右上から見た略示斜視図であり、図２は、空気清浄機１の内部構成を示す略示右側断面図である。図中２は筐体であり、筐体２の前面側には前面パネル３を取り付けてある。筐体２は、また、背面側に矩形の開口を有し、該開口の内側には、エアフィルタを収納するために矩形の枠体を形成してある。
【００３３】
該枠体には、エアフィルタとして、空気中の臭気成分を吸着する脱臭フィルタ４及び微細な塵埃を捕集する集塵フィルタ５を、背面側よりこの順に重ね合わせて収納してある。前記枠体の背面側は、格子状に多数の通気孔を有する略矩形の集塵用のプレフィルタを兼用したフィルタ押え枠６を取り付けて閉塞し、エアフィルタの脱落を防止している。
【００３４】
脱臭フィルタ４は、活性炭を均一に分散させたポリエステル製の不織布を矩形の枠に貼り付けたものである。また、集塵フィルタ５は、ＨＥＰＡ（High Efficiency Particulate Air）フィルタであって、ポリエステル又はビニロン系の不織布からなる骨材と電石加工を施したメルトブロー不織布とを合わせた濾材を折り畳み、更にその上下面にハイドロキシアパタイト加工を施した不織布からなる抗菌シートを重ねて熱圧着したものに、枠材を溶着したものである。
【００３５】
前記枠体の前方には、エアフィルタから通風される空気に加湿するための加湿器１７が配されている。加湿器１７は、円盤状の枠体及び折り畳まれた吸水材からなる加湿フィルタ１４、並びに加湿フィルタ１４の下方、筐体２の下部に配されて一側方から着脱可能なトレイ１５を有する。トレイ１５は、一側方から着脱可能な給水タンク１６と連通され、給水タンク１６から適時所定水位まで水が供給される。加湿フィルタ１４は、トレイ１５内に立設された支柱上端部の加湿フィルタ駆動モータ７に回動可能に軸支されて、下部がトレイ１５に貯水された水に浸されることにより、吸水材全体が水を含浸するようにしてある。
【００３６】
加湿フィルタ１４の前面側には、多数の通気孔が形成された隔壁２３が配され、隔壁２３と前面パネル３とに挟まれるようにして送風機８が配設されている。送風機８は、隔壁２１によって離隔されたファンモータ９及びファン１０からなる。ファンモータ９は回転数の制御が容易な直流モータであり、隔壁２１の正面側に固設されている。ファン１０には、低騒音のターボファンを採用しているが、プロペラファン、クロスフローファン等、他のファンでもよい。
【００３７】
送風機８の上方には、隔壁２１及び隔壁２３によって形成された上向きの通風路１１が、背面側に傾斜して外装まで連通している。外装の上面は、正面側の天板と、該天板の後縁からフィルタ押え枠６の上縁まで後傾する傾斜面とで形成されている。通風路１１は、前記傾斜面の上端部に開口する吹出口１１ａを有し、吹き出し口１１ａには、吹き出す空気の方向を変更するための風向板１２が設けられている。通風路１１の途中には、ファン１０から吹出口１１ａに向かう空気中に、正及び／又は負のイオンを放出するためのイオン発生器１８が設置されている。
【００３８】
外装の上面の天板には、電源のオン／オフ及び各運転モード設定を行うための操作ボタン４８、並びに各運転モードを表示するためのＬＥＤからなる表示ランプ４９ａを有する操作表示部１３が配されている。
【００３９】
操作ボタン４８には、電源をオン／オフするための電源ボタン、空気浄化機能の設定を行うための空気浄化設定ボタン、加湿を行うための加湿空気清浄ボタン、イオンの放出をオン／オフするためのイオン放出ボタン、及び手動でサーキュレート運転をオン／オフするためのサーキュレートボタンが備えられている。
【００４０】
表示ランプ４９ａには、電源ボタン、空気浄化設定ボタン、加湿設定ボタン、イオン放出ボタン、及びサーキュレートボタンの各操作又は自動運転に従って、夫々電源のオン／オフ、空気浄化の運転モード、加湿の運転モード、イオン放出のオン／オフ、サーキュレートの運転モードを各表示する電源表示ランプ、空気浄化運転モード表示ランプ、加湿運転モード表示ランプ、イオン放出表示ランプ、及びサーキュレート運転モード表示ランプが備えられている。
【００４１】
前面パネル３の上部中央には、後述する各センサが検出した内容を表示するための表示ランプ４９ｂを備えている。また、表示ランプ４９ｂには、湿度センサ４５の検出値に基づいて周囲の湿度を表示する湿度表示ランプ、温度センサ４２ａの検出値に基づいて周囲の温度を表示する温度表示ランプ、及びトレイ水位検出スイッチ４６（図示せず）の検出値に基づいて給水タンク１６への水の補給を促すための給水表示ランプが備えられている。
【００４２】
上記構成において、送風機８のファンモータ９が回転した場合、フィルタ押え枠６の背面側より空気が吸入される。吸入された空気は、脱臭フィルタ４及び集塵フィルタ５によって浄化され、隔壁２３の通気孔を通過してファン１０に吸い込まれる。ファン１０に吸い込まれた空気は、ファンブレードの間を通ってファン１０の外周から通風路１１へ圧送され、吹出口１１ａより外部へ吹き出される。
【００４３】
空気清浄機１の本体上部には、温度センサ４２ａ、湿度センサ４５、埃センサ４３（図３参照）、臭気センサ４４（図３参照）といったセンサ類が設置されている。温度センサ４２ａは周囲の温度を検出し、湿度センサ４５は周囲の湿度を検出し、埃センサ４３は発光素子及び受光素子間の空気中に浮遊する塵埃及び粒子を検出する。臭気センサ４４は金属酸化物半導体の表面にガスが吸着することにより、抵抗値が変化することを利用して、臭気成分を検出するものである。これらのセンサ類は、ファンモータ９、ファン１０により吸い込まれる空気が脱臭フィルタ４や集塵フィルタ５で浄化される前の経路内に設けられている。これにより、空気の状況を検知することができる。
【００４４】
本実施形態では、温度センサ４２ａにサーミスタを用いているが、他の接触式温度センサや非接触式温度センサを用いてもよい。なお、装置を複雑化させる非接触式温度センサを用いなくてもよく、また、検出結果を電気的に出力するサーミスタ、白金測温抵抗体、熱電対、ＩＣ化温度センサ、水晶温度計等の方が後述する制御部４０による制御に検出結果を直接用いることができるので好ましい。
【００４５】
なお、温度センサ４２ａと湿度センサ４５とは、一体化して形成されてもよい。
【００４６】
また、温度センサ４２ａ、湿度センサ４５、埃センサ４３、臭気センサ４４といったセンサ類の設置位置は、空気清浄機の本体上部に限定されるものではなく、ファンモータ９、ファン１０により吸い込まれる空気が脱臭フィルタ４や集塵フィルタ５で浄化される前の経路内にあれば何処にあってもよい。
【００４７】
本実施形態では、一例として、フィルタ押え枠６の側方に開口部を設け、その開口部の奥に温度センサ４２ａ及び湿度
センサ４５を含むセンサ類を配置し、その開口部からファンモータ９、ファン１０により吸い込まれる空気が、センサ類を経由して、フィルタ押え枠６から吸い込まれた空気と合流して、脱臭フィルタ４に達するような経路を形成している。
【００４８】
以上、空気清浄機１の構成について説明した。この空気清浄機１について、続いて図３を参照し、本実施形態の空気清浄機の制御回路について説明する。図３は、本実施形態の制御系統の概略構成を示すブロック図である。制御部４０は、プログラム等の情報を記憶するＲＯＭ、ＲＯＭに予め格納されている制御プログラムに従って入出力制御及び演算を実行するＣＰＵ、一時的に発生した情報を記憶するＲＡＭ、並びに外部回路との入出力を行う入出力インタフェースを有している。
【００４９】
制御部４０には、入出力インタフェースを介して、周囲の湿度を検出する湿度センサ４５、周囲の温度を検出する温度センサ４２ａ、周囲の埃を検出する埃センサ４３、周囲の臭気を検出する臭気センサ４４、及びトレイ１５の水位を検出するトレイ検出スイッチ４６（図示せず）が接続され、制御部４０は、これらのセンサの検出値及びスイッチの検出状態を取り込む。
【００５０】
更に、制御部４０には、風向板駆動回路５０、送風機駆動回路５１、加湿器駆動回路５２及びイオン発生器駆動回路５３を介して、夫々風向板１２のスッテピングモータ、送風機８のファンモータ９、加湿器１７の加湿フィルタ１４の駆動モータ７、及びイオン発生器１８が接続されている。制御部４０は、操作ボタン４８から受け付けた操作並びに上述の各センサの検出値及び各スイッチの検出状態に基づいて、上記各駆動回路を制御する。これにより、風向板１２の風向、送風機８の風量、加湿器１７の加湿量及びイオン発生器１８のイオン発生量が制御される。
【００５１】
ここでサーキュレート運転とは、空気を循環させるように、空気清浄機の送風機８の回転数を通常運転時よりも上げて風量を上げる運転である。なお、ここで通常運転時とは、センサ類で異常状態を検出して（例えば、臭気センサ４４でタバコによる臭いを検出したとき）、空気清浄機の送風機８の回転数を上げる運転を除く。
【００５２】
本実施形態における加湿機能は、３段階の温度域で夫々異なる湿度に制御するものである。具体的には、１８℃以下では湿度を約６５％に、１８℃〜２４℃では湿度を約６０％に、２４℃以上では湿度を約５５％にコントロールする。
【００５３】
なお、温度センサ４２ａによる温度の検出結果は、サーキュレート運転の制御及び加湿機能の制御の両方に用いられる。
【００５４】
次に、温度センサ４２ａによる温度の検出結果を用いたサーキュレート運転の制御部の手順について説明する。図４は、自動設定モードにおける制御部４０の処理手順を示すフローチャートである。以下の処理は、制御部４０のマイクロコンピュータの内蔵ＲＯＭに予め格納されている制御プログラムに従って、マイクロコンピュータのＣＰＵにより実行される。制御部４０は、操作ボタン４８から設定された上記自動設定モード及び目標湿度の設定を受け付けた場合、加湿フィルタ１４の駆動モータ７のＯＮ／ＯＦＦ、及び送風機８のファンモータ９の回転数を、夫々所定の初期値に設定（本実施形態では、風量が「弱」に相当する回転数）して以下の処理をスタートさせ、次回、運転モードが変更されるまで処理を継続する。また、送風機８のファンモータ９の駆動モータは、高速度から微速度まで、段階的に速度（回転数）の制御を行うものとする。
【００５５】
以下の処理において、制御部４０は、サーキュレート機能を動作させる際に、空気清浄機の風量を「弱」運転から「強」運転に切り替えて運転するように送風駆動回路５１を制御するものとして説明する。
【００５６】
制御部４０は、空気清浄機の風量が「弱」の運転状態（サーキュレート機能ＯＦＦ）で（ステップＳ１１）、過去２分間の温度変化の幅を検出する（ステップＳ１２）。温度変化の幅が３℃未満と判定されたときは（ステップＳ１２：３℃未満）待機し、温度変化の幅が３℃以上と判定されたときは（ステップＳ１２：３℃以上）、制御部４０は、空気清浄機の風量を「弱」（サーキュレート機能ＯＦＦ）から「強」（サーキュレート機能がＯＮ）の運転に切り替えるよう送風機駆動回路５１を制御し（ステップＳ１３）、サーキュレート機能が動作していることを示すサーキュレートランプを点灯させ（ステップＳ１４）、タイマー１の動作をスタートさせる（ステップＳ１５）。
【００５７】
続いて、制御部４０は、温度変化が上昇方向かを判定する（ステップＳ１６）。温度変化が上昇方向と判定されたときは（ステップＳ１６：上昇方向）、制御部４０は、引き続き温度変化の方向が上昇方向かを判定し（ステップＳ１７）、上昇方向と判定したときは（ステップＳ１７：上昇方向）、タイマー１の動作時間が２０分を超えているか判断する（ステップＳ１８）。２０分を超えていないと判定されたときは（ステップＳ１８：ｎｏ）、制御部４０は、処理をステップＳ１７に戻す。一方、温度変化が下降方向と判定されたときは（ステップＳ１６：下降方向）、引き続き温度変化の方向が下降方向かを判定し（ステップＳ１９）、下降方向と判定したときは（ステップＳ１９：下降方向）、タイマー１の動作時間が２０分を超えているか判断する（ステップＳ２０）。２０分を超えていない判定されたときは（ステップＳ２０：ｎｏ）、制御部４０は、処理をステップＳ１９に戻す。ステップＳ１７で温度変化の方向が下降方向と判定したときは（ステップＳ１７：下降方向）、制御部４０は、タイマー１のカウントを「０」にクリアして再スタートさせ（ステップＳ２１）、処理をステップＳ１９に進める。ステップＳ１９で温度変化の方向が上昇方向と判定したときは（ステップＳ１９：上昇方向）、制御部４０は、タイマー１のカウントを「０」にクリアして再スタートさせ（ステップＳ２２）、処理をステップＳ１７に進める。
【００５８】
ステップＳ１８又はステップＳ２０でタイマー１の動作時間が２０分を超えたと判定した場合、制御部４０は、タイマー１の動作をストップさせ（ステップＳ２３）、風量を「強」（サーキュレート機能ＯＮ）から「弱」（サーキュレート機能ＯＦＦ）の運転に切り替えるよう送風駆動回路５１を制御し（ステップＳ２４）、サーキュレートランプを消灯させる（ステップＳ２５）。
【００５９】
一方、例えば室内が広く、冷暖房運転を２０分間続けても設定温度まで達せずにサーキュレート機能がＯＦＦされてしまうような場合が想定されるときは、最初のタイマー１のカウント設定時間だけを延ばすようなフローで処理すればよい。例えば、最初のタイマー１のカウント設定時間を６０分で処理する場合の、制御部４０の処理手順のフローチャートを図５ａ〜ｃに基づいて説明する。
【００６０】
制御部４０は、空気清浄機の風量が「弱」の運転状態（サーキュレート機能ＯＦＦ）で（ステップＳ１１１）、過去２分間の温度変化の幅を検出する（ステップＳ１１２）。温度変化の幅が３℃未満と判定されたときは（ステップＳ１１２：３℃未満）待機し、温度変化の幅が３℃以上と判定されたときは（ステップＳ１１２：３℃以上）、制御部４０は、空気清浄機の風量を「弱」（サーキュレート機能ＯＦＦ）から「強」（サーキュレート機能がＯＮ）の運転に切り替えるよう送風機駆動回路５１を制御し（ステップＳ１１３）、サーキュレート機能が動作していることを示すサーキュレートランプを点灯させ（ステップＳ１１４）、ハンチングフラグを「０」に設定し（ステップＳ１１５）、タイマー１の動作をスタートさせる（ステップＳ１１６）。
【００６１】
続いて、制御部４０は、温度変化が上昇方向かを判定する（ステップＳ１１７）。温度変化が上昇方向と判定されたときは（ステップＳ１１７：上昇方向）、制御部４０は、引き続き温度変化の方向が上昇方向かを判定し（ステップＳ１１８）、上昇方向と判定したときは（ステップＳ１１８：上昇方向）、ハンチングフラグが１かを判定する（ステップＳ１１９）。０と判定されたときは（ステップＳ１１９：０）、タイマー１の動作時間が６０分を超えているか判断する（ステップＳ１２１）。６０分を超えていないと判定されたときは（ステップＳ１２１：ｎｏ）、制御部４０は、処理をステップＳ１１８に戻す。ハンチングフラグが１と判定されたときは（ステップＳ１１９：１）、タイマー１の動作時間が２０分を超えているか判断する（ステップＳ１２０）。２０分を超えていないと判定されたときは（ステップＳ１２０：ｎｏ）、制御部４０は、処理をステップＳ１１８に戻す。一方、温度変化が下降方向と判定されたときは（ステップＳ１１７：下降方向）、引き続き温度変化の方向が下降方向かを判定し（ステップＳ１２２）、下降方向と判定したときは（ステップＳ１２２：下降方向）、ハンチングのフラグが１かを判定する（ステップＳ１２３）。０と判定されたときは（ステップＳ１２３：０）、タイマー１の動作時間が６０分を超えているか判断する（ステップＳ１２５）。６０分を超えていないと判定されたときは（ステップＳ１２５：ｎｏ）、制御部４０は、処理をステップＳ１２２に戻す。ハンチングフラグが１と判定されたときは（ステップＳ１２３：１）、タイマー１の動作時間が２０分を超えているか判断する（ステップＳ１２４）。２０分を超えていない判定されたときは（ステップＳ１２４：ｎｏ）、制御部４０は、処理をステップＳ１２２に戻す。
【００６２】
ステップＳ１１８で温度変化が下降方向と判定したときは（ステップＳ１１８：下降方向）、制御部４０は、ハンチングフラグを「１」に設定し（ステップＳ１２６）、タイマー１のカウントを「０」にクリアして再スタートさせ（ステップＳ１２７）、処理をステップＳ１２２に進める。ステップＳ１２２で温度変化が上昇方向と判定したときは（ステップＳ１２２：上昇方向）、制御部４０は、ハンチングフラグを「１」に設定し（ステップＳ１２８）、タイマー１のカウントを「０」にクリアして再スタートさせ（ステップＳ１２９）、処理をステップＳ１１８に進める。
【００６３】
ステップＳ１２１又はステップＳ１２５でタイマー１の動作時間が６０分を超えたと判定した場合、及びステップＳ１２０又はステップＳ１２４でタイマー１の動作時間が２０分を超えたと判定した場合、制御部４０は、タイマー１の動作をストップさせ（ステップＳ１３０）、風量を「強」（サーキュレート機能ＯＮ）から「弱」（サーキュレート機能ＯＦＦ）の運転に切り替えるよう送風駆動回路５１を制御し（ステップＳ１３１）、サーキュレートランプを消灯させる（ステップＳ１３２）。
【００６４】
なお、温度変化が上昇方向か又は下降方向かを判定するステップにおいては、３０秒毎や１分毎に温度の検出を行い、その間の温度差に基づいて判定するが、温度検出の間隔はこれに限定されるものではなく、制御のやり方に応じて適宜設定してもよい。また、温度センサによる温度の検出値には測定精度や環境変化に応じて微動するようなバラツキが生じるが（後述の図８、９参照）、それを考慮して温度検出の間隔を設定すればよい。
【００６５】
なお、タイマー１の動作時間は適宜設定してよいが、人がドアを開閉して温度が急激に下がったときに誤動作（サーキュレート運転が停止）しないように、十分に長い時間に設定するのが好ましい。
【００６６】
次に、本実施形態の空気清浄機を使用した場合と使用しない場合の温度変化について比較説明する。図６は、暖房機の運転を開始してから停止するまでの、サーキュレート運転した場合とサーキュレート運転しない場合との温度推移のグラフである。縦軸は温度センサによる検出温度、横軸は時間経過を示している。点線がサーキュレート運転あり（本実施形態の空気清浄機を使用）の場合のものであり、実線がサーキュレート運転なし（本実施形態の空気清浄機を使用しない）の場合のものである。
【００６７】
暖房機を動作させると、温度は暖房機の設定温度に向かって上昇する。この際、２分間の間に３℃以上の温度上昇があったときは、空気清浄機のサーキュレート機能が動作を始める（空気清浄機の風量が弱から強に切り替わるように送風機の回転を制御する）。
【００６８】
暖房運転開始後、温度センサによる検出温度は、暖房機の設定温度に向けて上昇した後、オーバーシュートする。その後、設定温度に対して温度が上回ったり下回ったりを繰り返して波打つ状態、いわゆるハンチングが生じる。
【００６９】
なお、本願明細書において、ハンチングとは、暖房機や冷房機等の設定温度に対して温度が上回ったり下回ったりを繰り返して波打つ状態を言い、時間経過に従って、振幅が一定ものや、振幅が増大するもの、振幅が減衰するものを含む。また、ハンチングとは、時間経過に従って、周期が一定のものや、周期が長くなるもの、周期が短くなるものを含む。一般に設定温度に対するハンチングの振幅は、その幅が大きいほど温度ムラが大きく、その幅が小さいほど温度ムラが少なく、時間経過とともに室内の温度ムラが少なくなり安定してくるとハンチングの度合いが小さくなる。
【００７０】
ここでは、サーキュレート運転ありの場合は、サーキュレート運転なしの場合よりも振幅が小さくなっており、温度ムラが少なくなっている。
【００７１】
また、暖房運転中は、予め設定した基準時間以内、例えば２０分間以内に、温度が上昇から下降または下降から上昇に変化していて、空気清浄機のサーキュレート機能は動作を継続する。
【００７２】
次に、暖房機を停止させる。すると、温度センサによる検出温度は下降を始める。温度が上昇から下降に変わった時点から、予め設定した基準時間の２０分間を超えて、温度が下降し続ける場合は、制御部は、暖房機が停止したと判断して、自動的に空気清浄機のサーキュレート運転を停止する。
【００７３】
ここでは、暖房機を動作させた場合について説明したが、冷房機を動作させた場合でも同様である。
【００７４】
また、サーキュレート機能が動作を開始する条件は、２分間で３℃以上の温度変化がある場合に限られるものではなく、３分間で３℃以上の温度変化に設定するなど、部屋の広さや周辺環境等に応じて、適宜設定してもよい。
【００７５】
また、予め設定する基準時間は、２０分間に限らず、使用環境に応じて、適宜設定してもよい。
【００７６】
以上のように、本実施形態によれば、温度が上昇し続ける時間または下降し続ける時間に応じて、冷暖房機が動作を停止したと判断して、空気清浄機のサーキュレート機能が自動的に停止するように空気清浄機の送風機の回転を制御できるようになるので、冷暖房中に温度ムラが生じている状態でサーキュレート運転が停止してしまうことがなくなり、冷暖房時の消費電力を節約できる。
【００７７】
また、ハンチング状態において、温度が上昇し続ける時間または下降し続ける時間に応じて、ハンチングの度合いが小さくなり温度が安定状態に近づき、サーキュレート機能が不要と判断して、空気清浄機のサーキュレート機能が自動的に停止するように空気清浄機の送風機の回転を制御することができるようになるので、空気清浄機のサーキュレート機能を余計に動作させなくても、消費電力を低減できる。
【００７８】
また、冷暖房機が運転開始または運転停止したことを自動的に検出できるようになり、これに合わせて空気清浄機のサーキュレート機能を自動的に動作開始または動作停止させることができるようになるので、空気清浄機の消費電力を低減ができる。
【００７９】
〔実施形態２〕
本発明に係る空気清浄機に関する他の実施形態について、図７〜９に基づいて説明すれば、以下のとおりである。なお、説明の便宜上、前記実施形態１にて説明した図面と同じ機能を有する部材については、同じ符号を付記し、その説明を省略する。
【００８０】
空気清浄機の構造および制御回路は、前記実施形態１と同様なので、ここでは、まず制御部の処理手順について説明する。
【００８１】
処理開始から過去２分間の温度変化の幅を検出するステップ（ステップＳ２１１〜Ｓ２１２）は、実施形態１と同様である。
【００８２】
続いて、制御部４０は、温度変化が上昇方向かを判定し（ステップＳ２１３）、温度変化が上昇方向と判定されたときは（ステップＳ２１３：上昇方向）、制御部４０は、引き続き温度変化が下降方向かを判定する（ステップＳ２１４）。上昇方向と判定したときは（ステップＳ２１４：上昇方向）待機し、下降方向と判定したときは（ステップＳ２１４：下降方向）、空気清浄機の風量を「弱」（サーキュレート機能ＯＦＦ）から「強」（サーキュレート機能がＯＮ）の運転に切り替えるよう送風機駆動回路５１を制御する（ステップＳ２１６）。一方、温度変化が下降方向と判定されたときは（ステップＳ２１３：下降方向）、温度変化が上昇方向かを判定する（ステップＳ２１５）。下降方向と判定したときは（ステップＳ２１５：下降方向）待機し、上昇方向と判定したときは（ステップＳ２１５：上昇方向）、空気清浄機の風量を「弱」（サーキュレート機能ＯＦＦ）から「強」（サーキュレート機能がＯＮ）の運転に切り替えるよう送風機駆動回路５１を制御する（ステップＳ２１６）。
【００８３】
制御部４０は、サーキュレート機能が動作していることを示すサーキュレートランプを点灯させ（ステップＳ２１７）、タイマー１の動作をスタートさせる（ステップＳ２１８）。
【００８４】
続いて、制御部４０は、ハンチングによる極大値と極小値の数をカウントし（ステップＳ２１９）、タイマー１の動作時間が２０分を超えているかを判断する（ステップＳ２２０）。ここで、２０分を超えていないと判定したときは（ステップＳ２２０：ｎｏ）、ステップをＳ２１９に戻す。２０分を超えたと判定したときは（ステップＳ２２０：ｙｅｓ）、制御部４０は、ハンチングによる極大値と極小値の数が両方とも１つ以上あるかを判定する（ステップＳ２２１）。両方とも１つ以上あると判定したときは（ステップＳ２２１：ｙｅｓ）、制御部４０は、タイマー１のカウントを「０」にクリアして再スタートさせ（ステップＳ２２２）、処理をステップＳ２１９に戻す。極大値と極小値のいずれかが無い場合は（ステップＳ２２１：ｎｏ）、タイマー１の動作をストップさせ（ステップＳ２２３）、風量を「強」（サーキュレート機能がＯＮ）から「弱」（サーキュレート機能ＯＦＦ）の運転に切り替えるよう送風駆動回路５１を制御し（ステップＳ２２４）、サーキュレートランプを消灯させる（ステップＳ２２５）。
【００８５】
なお、温度変化が上昇方向か又は下降方向かを判定するステップにおいては、３０秒毎や１分毎に温度の検出を行い、その間の温度差に基づいて判定するが、温度検出の間隔はこれに限定されるものではなく、制御のやり方に応じて適宜設定してもよい。また、温度センサによる温度の検出値には測定精度や環境変化に応じて微動するようなバラツキが生じるが（後述の図８、９参照）、それを考慮して温度検出の間隔を設定すればよい。
【００８６】
なお、タイマー１の動作時間は適宜設定してよいが、人がドアを開閉して温度が急激に下がったときに誤動作（サーキュレート運転が停止）しないように、十分に長い時間に設定するのが好ましい。
【００８７】
なお、図７に示す処理手順において、ステップＳ２１３〜ステップＳ２１５と、ステップＳ２１６〜ステップＳ２１７との順番は入れ替わってもよい。
【００８８】
また、図７に示す処理手順において、ステップＳ２１６〜ステップＳ２１７と、ステップＳ２１８との順番は入れ替わってもよい。
【００８９】
図８、図９は、暖房運転を行ったときの室内の温度変化を示したグラフである。縦軸は温度センサによる検出温度、横軸は時間経過を示している。外気は５℃で、エアコンの設定温度は２０℃である。
【００９０】
なお、図８、９は、温度センサによる検出温度を実測した値のグラフであり、温度センサによる温度の検出値には測定精度や環境変化に応じて微動するようなバラツキが生じているが、前述の図６は、このようなバラツキを平準化して概略的に描いたグラフである。
【００９１】
部屋を閉めきった状態にしていると、外部環境の影響により、温度は１５．５℃付近から１６．５℃付近まで時間をかけてゆっくりと上昇する。
【００９２】
ここで、暖房機の運転を開始すると、温度は、１６．５℃付近からエアコンの設定温度である２０℃にむけて上昇を始める。その後、温度は設定温度を超え、オーバーシュートして２２．５℃付近まで上昇した後、２１℃付近まで下がり、２１．５℃付近を中心にしてハンチング状態となる。そして、時間の経過とともにハンチングの振幅が減少していき、ハンチングの周期が長くなる。このように、ハンチングの度合いが小さくなり、温度ムラが解消している。
【００９３】
本実施形態の空気清浄機では、温度がオーバーシュートして２２．５℃付近まで上昇した後、温度が下がり始める時点を基準時間の開始時点（タイマー１のカウントをスタート）としている。その後、予め設定した基準時間Ｔ（例えば２０分間）毎に、ハンチングの状態をモニターする。
【００９４】
なお、ハンチングの状態をモニターするとは、ハンチングによる極大値の数、ハンチングによる極小値の数、ハンチングによる極大値と極小値との数、ハンチングの振幅、及びハンチングの周期（隣り合う極大値間の時間や隣り合う極小値間の時間など）のうちの少なくとも一つをモニターすることを含む。
【００９５】
また、基準時間の開始時点は、サーキュレート機能が動作を開始する時点や、いずれかの極大値または極小値の時点にも設定できるが、ハンチングの振幅が大きいときに、基準時間の開始時点を設定するのが好ましい。
【００９６】
図８は、基準時間Ｔ（例えば２０分間）に、極大値と極小値が夫々１つあるパターンを示している。基準時間あたりの極大値と極小値の数が、夫々１つ以上あるときは、温度ムラが解消していないとして、空気清浄機のサーキュレート機能は運転を継続する。
【００９７】
図９は、基準時間Ｔ（例えば２０分間）に、極大値はあるが極小値がないパターンを示している。基準時間あたりの極大値と極小値のどちらかがないときは、暖房機の運転が停止したと判断したか、または温度ムラが解消してハンチングの周期が延びてサーキュレート機能が不要と判断したことで、空気清浄機のサーキュレート機能は運転を停止する。
【００９８】
このように、基準時間あたりの極大値および／または極小値の数をモニターすることで、ハンチング状態を把握し、それに合わせて、空気清浄機の送風機の回転を制御する。これにより、例えば冷暖房機が運転中は自動的にサーキュレート機能が動作して冷暖房機の消費電力を節約でき、冷暖房機が運転停止したときは自動的にサーキュレート機能を停止して空気清浄機の消費電力を低減できる。
【００９９】
また、ハンチングの極大値から極小値または極小値から極大値の時間（ハンチングの１／２周期に相当）が、基準時間Ｔ（例えば２０分間）を超えるときは、サーキュレート機能を停止するようにしてもよい。これによれば、温度ムラが解消して、ハンチングの度合いが小さくなり、ハンチングの周期が延びたと判断して、自動的にサーキュレート機能を停止することで空気清浄機の消費電力を低減できる。
【０１００】
また、ハンチングの周期に応じて、サーキュレート機能を停止するようにしてもよい。
【０１０１】
また、基準時間以内のハンチングの極大値および／または極小値の数に応じて、サーキュレート機能の動作の強さを調整するようにしてもよい。これによれば、極大値および／または極小値の数が多いとき（温度ムラが大きいとき）はサーキュレート機能を強く動作させ、極大値および／または極小値の数が少ないとき（温度ムラが小さいとき）はサーキュレート機能を弱く動作させることができ、冷暖房機の消費電力を抑えることができる。
【０１０２】
また、ハンチングの振幅の大きさに応じて、サーキュレート機能の動作の強さを調整するようにしてもよい。これによれば、振幅の幅が大きいとき（温度ムラが大きいとき）はサーキュレート機能を強く動作させ、振幅の幅が小さいとき（温度ムラが小さいとき）はサーキュレート機能を弱く動作させ、サーキュレート機能の強さをその場の温度ムラに応じて適切に動作させることができ、空気清浄機の低消費電力化を達成できる。
【０１０３】
以上のように、本実施形態によれば、ハンチングの状態に応じて冷暖房機が動作を停止したと判断して、空気清浄機のサーキュレート機能が自動的に停止するようになるので、冷暖房中にサーキュレート運転が停止してしまうことがなくなり、冷暖房時の消費電力を節約できる。
【０１０４】
また、ハンチング状態において、温度が上昇し続ける時間または下降し続ける時間に応じて、ハンチングの度合いが小さくなり温度が安定状態に近づき、サーキュレート機能が不要と判断して、空気清浄機のサーキュレート機能が自動的に停止するように空気清浄機の送風機の回転を制御することができるようになるので、空気清浄機のサーキュレート機能を余計に動作させなくても、消費電力を低減できる。
【０１０５】
更に、ハンチングの状態に応じて冷暖房機が動作を停止したと判断し、これに合わせて空気清浄機のサーキュレート機能を自動的に停止させることができるので、空気清浄機の消費電力の低減を図ることができる。
【０１０６】
〔実施形態３〕
本発明に係る空気清浄機に関する他の実施形態について、図１０〜図１２に基づいて説明すれば、以下のとおりである。なお、説明の便宜上、前記実施形態１にて説明した図面と同じ機能を有する部材については、同じ符号を付記し、その説明を省略する。
【０１０７】
まず、本実施形態の空気清浄機の構造について説明する。図１０は、本実施形態の空気清浄機を正面右上から見た略示斜視図である。
【０１０８】
本実施形態では、実施形態１の構成に加えて、温度センサ４２ｂを設けている。
【０１０９】
温度センサ４２ｂは、空気清浄機１の本体の底面から５ｃｍの高さの箇所に設置され、温度センサ４２ａは、空気清浄機１の本体の底面から５５ｃｍの高さの箇所に設置されている。これにより、温度センサ４２ｂにより空気清浄機の下部付近の温度を検出し、温度センサ４２ａにより空気清浄機の上部付近の温度を検出する。
【０１１０】
なお、本実施形態では、温度センサ４２ａと温度センサ４２ｂとの間隔は約５０ｃｍあるが、この間隔は広いほど好ましいものの、５０ｃｍに限定されるものではなく、温度センサの測定誤差を考慮しながら、２つの温度センサで検出する温度に温度差が生じる距離さえ離れていればばよい。なお、個数についても２個に限定されるものではなく、３個以上設置されていてもよい。
【０１１１】
また、温度センサ４２ｂは、ファンモータ９、ファン１０により吸い込まれる空気が脱臭フィルタ４や集塵フィルタ５で浄化される前の経路内に設置されている。本実施形態では、温度センサ４２ｂは、フィルタ押え枠６の側方に開口部を設け、その開口部の奥に配置している。その開口部からファンモータ９、ファン１０により吸い込まれる空気が、温度センサ４２ｂを経由して、フィルタ押え枠６から吸い込まれた空気と合流して、脱臭フィルタ４に達するような経路を形成している。
【０１１２】
温度センサ４２ａと温度センサ４２ｂには、サーミスタを用いているが、接触式温度センサであれば他の温度センサを用いてもよい。また、検出結果を電気的に出力するサーミスタ、白金測温抵抗体、熱電対、ＩＣ化温度センサ、水晶温度計等の方が制御部４０による制御に検出結果を直接用いることができるので好ましい。なお、接触式温度センサを用いるのは、非接触式の温度センサを用いると天井面等が外部環境の影響を受けやすい場合に的確な温度検出ができないので、温度センサ４２ａと温度センサ４２ｂとの温度差を的確に検出できず、室内の温度ムラを低減する適切なサーキュレート運転の制御ができなくなってしまうためである。
【０１１３】
表示ランプ４９ｂには、温度センサ４２ａと温度センサ４２ｂとが検出した温度の温度差に基づいて、表示状態を変える温度表示ランプ１〜３が設けられている。
【０１１４】
続いて図１１を参照し、本発明に係る空気清浄機の制御回路について説明する。図１１は、本発明に係る空気清浄機の制御系統の概略構成を示すブロック図である。
【０１１５】
制御部４０には、入出力インタフェースを介して、湿度センサ４５、温度センサ４２ａ、温度センサ４２ｂ、周囲の埃を検出する埃センサ４３、周囲の臭気を検出する臭気センサ４４が接続され、制御部４０は、これらのセンサの検出値及びスイッチの検出状態を取り込む。
【０１１６】
更に、制御部４０には、風向板駆動回路５０、送風機駆動回路５１、加湿器駆動回路５２及びイオン発生器駆動回路５３を介して、夫々風向板１２のスッテピングモータ、送風機８のファンモータ９、加湿器１７の加湿フィルタ１４の駆動モータ７、及びイオン発生器１８が接続されている。制御部４０は、操作ボタン４８から受け付けた操作並びに上述の各センサの検出値及び各スイッチの検出状態に基づいて、上記各駆動回路を制御する。これにより、風向板１２の風向、送風機８の風量、加湿器１７の加湿量及びイオン発生器１８のイオン発生量が制御される。制御部４０は、温度センサ４２ａと温度センサ４２ｂとの温度差を検出し、その検出値に基づいて、送風機駆動回路５１を制御し、送風機８の風量を制御する点が実施形態１とは異なっている。
【０１１７】
図１２は、本実施形態の自動設定モードにおける制御部４０の処理手順を示すフローチャートである。温度センサ４２ａで検出する温度をＴＥＭＰ１、温度センサ４２ｂで検出する温度をＴＥＭＰ２として説明する。
【０１１８】
制御部４０は、空気清浄機の風量が「弱」の運転状態（サーキュレート機能ＯＦＦ）で（ステップＳ３１１）、温度表示ランプ１〜３を消灯させ（ステップＳ３１２）、温度センサ４２ａと温度センサ４２ｂとにより、ＴＥＭＰ１とＴＥＭＰ２とを検出する（ステップＳ３１３）。続いて、制御部４０は、ＴＥＭＰ１とＴＥＭＰ２との温度差を判定し（ステップＳ３１４）、温度差が１．５℃未満と判定したときは（ステップＳ３１４：１．５℃未満）待機し、温度差が１．５℃以上と判定したときは（ステップＳ３１４：１．５℃以上）、空気清浄機の風量を「弱」（サーキュレート機能ＯＦＦ）から「強」（サーキュレート機能がＯＮ）の運転に切り替えるように送風駆動回路５１を制御する（ステップＳ３１５）。次に、ＴＥＭＰ１がＴＥＭＰ２より大きいかを判定し（ステップＳ３１６）、ＴＥＭＰ１が高いと判定した場合（ステップＳ３１６：ｙｅｓ）、温度表示ランプ１と温度表示ランプ２とを点灯して、温度表示ランプ３を消灯する（ステップＳ３１７）。ＴＥＭＰ１が低いと判定した場合（ステップＳ３１６：ｎｏ）、温度表示ランプ２と温度表示ランプ３とを点灯して、温度表示ランプ１を消灯する（ステップＳ３１８）。
【０１１９】
次に、制御部４０は、所定時間が経過したか否かを判定し（ステップＳ３１９）、経過していないと判定した場合（ステップＳ３１９：ｎｏ）、待機する。
【０１２０】
この場合の所定時間は、制御部４０の処理の周期を決めるものであり、特定の時間に限定されるものではない。
【０１２１】
所定時間が経過したと判定した場合（ステップＳ３１９：ｙｅｓ）、ＴＥＭＰ１とＴＥＭＰ２との温度差を判定し（ステップＳ３２０）、温度差が１．５℃以上と判定したときは（ステップＳ３２０：１．５℃以上）、処理をステップＳ３１６に戻す。温度差が１．５℃未満と判定したときは（ステップＳ３２０：１．５℃未満）、空気清浄機の風量を「強」（サーキュレート機能がＯＮ）から「弱」（サーキュレート機能ＯＦＦ）の運転に切り替え（ステップＳ３２１）、温度表示ランプ１〜３をいずれも消灯する（ステップＳ３２２）。
【０１２２】
なお、温度変化が上昇方向か又は下降方向かを判定するステップにおいては、３０秒毎や１分毎に温度の検出を行い、その間の温度差に基づいて判定するが、温度検出の間隔はこれに限定されるものではなく、制御のやり方に応じて適宜設定してもよい。また、温度センサによる温度の検出値には測定精度や環境変化に応じて微動するようなバラツキが生じるが、それを考慮して温度検出の間隔を設定すればよい。
【０１２３】
なお、制御部４０は、温度センサ４２ａと温度センサ４２ｂとの温度差が大きいほど、送風機駆動回路５１を制御して、送風機８の風量を上げるようにしてもよい。これによれば、より効果的に温度ムラを解消できる。
【０１２４】
図１３は、上述した温度表示ランプ１〜３の表示状態を示している。本実施形態における例として、温度センサ４２ａと温度センサ４２ｂとの検出値に応じて、温度表示ランプ１〜３の表示状態を示す。
【０１２５】
温度表示ランプ１と温度表示ランプ３は、例えば「橙」等の暖色系で表示され、温度表示ランプ２は、例えば「青」等の寒色系の色で表示される。
【０１２６】
図１３の（ａ）は、ＴＥＭＰ１とＴＥＭＰ２の温度差が１．５℃未満の場合で、温度表示ランプ１〜３のいずれもが消灯した状態を示している。
【０１２７】
図１３の（ｂ）は、ＴＥＭＰ１がＴＥＭＰ２より高い場合で、温度表示ランプ１が暖色系の色で点灯し、温度表示ランプ２が寒色系の色で点灯し、温度表示ランプ３が消灯した表示である。これにより、ユーザ（使用者）は、この表示を見て、室内の温度が床近傍より天井近傍の方が高いことを、感覚的に視認することができる
図１３の（ｃ）は、ＴＥＭＰ１がＴＥＭＰ２より低い場合で、温度表示ランプ１が消灯し、温度表示ランプ２が寒色系の色で点灯し、温度表示ランプ３が暖色系の色で点灯した表示状態である。これにより、ユーザ（使用者）は、この表示を見て、室内の温度が天井近傍より床近傍の方が高いことを、感覚的に視認することができる。
【０１２８】
以上のように、本実施形態によれば、簡素な構造で、適切なサーキュレート運転の制御ができる。
【０１２９】
〔実施形態４〕
本発明に係る空気清浄機に関する他の実施形態について、図１４〜図１６に基づいて説明する。なお、説明の便宜上、前記実施形態１にて説明した図面と同じ機能を有する部材については、同じ符号を付記し、その説明を省略する。
【０１３０】
図１４の本実施形態に係る空気清浄機では、筐体２の底面側に開口を有し、該開口の内側にホットカーペットとの併用暖房を検知するための床温度センサ４２ｃを設置してある点以外は、実施形態１と同じ構造を有している。
【０１３１】
図１５は、本実施形態に係る空気清浄機の制御系統の概略構成を示すブロック図である。制御部４０には、入出力インタフェースを介して、湿度センサ４５、温度センサ４２ａ、床温度センサ４２ｃ、周囲の埃を検出する埃センサ４３、周囲の臭気を検出する臭気センサ４４が接続され、制御部４０は、これらのセンサの検出値及びスイッチの検出状態を取り込む。ホットカーペットとの併用暖房を検知するための床温度センサ４２ｃが温度を検出し、その検出値に基づいて、送風機駆動回路５１を制御し、送風機８の風量を制御する点以外は、実施形態１と同じ制御系統である。
【０１３２】
図１６は、本実施形態に係る空気清浄機の制御部４０の処理手順を示すフローチャートである。制御部４０の処理手順は、実施形態１（図４、図５）のステップＳ１１、Ｓ１１１とステップＳ１２、Ｓ１１２との間に、床温度センサ４２ｃの検出温度が３５℃以上あるかないかを判定して、３５℃以上の場合は待機し、３５℃以下の場合は次のステップに進む処理が設けられている。
【０１３３】
また、表示ランプ４９ｂには、ホットカーペットが動作しているときに暖色系の色で点灯する温度表示ランプを設けている。これにより、ユーザ（使用者）は、この表示を見て、ホットカーペットが動作して、空気清浄機のサーキュレート機能が停止していることを把握できる。
【０１３４】
以上のように、本実施形態によれば、床温度センサ４２ｃにより、床表面付近の温度を検出して、例えば３５℃以上を検出したときはホットカーペットが動作していると判断して（一般にホットカーペット使用時には床表面温度が４０℃〜４５℃程度になる）、サーキュレート機能を停止するように制御することができる。これにより、ホットカーペット使用時のように、室内の風速を抑えて体感温度を高く保つことが望ましい場合には、サーキュレート機能を停止して、消費電力を節約できる。
【０１３５】
〔実施形態５〕
本発明に係る空気清浄機に関する他の実施形態について、図１７〜図１９に基づいて説明する。本実施形態に係る空気清浄機の構造は、筐体２の底面側に開口を有し、該開口の内側に、ホットカーペットとの併用暖房を検知するための温度センサ４２ｃを設置してある点以外は、実施形態３（図１０）と同じ構造を有している。
【０１３６】
図１７は、本実施形態に係る空気清浄機の制御系統の概略構成を示すブロック図である。制御部４０には、入出力インタフェースを介して、湿度センサ４５、温度センサ４２ａ、温度センサ４２ｂ、床温度センサ４２ｃ、周囲の埃を検出する埃センサ４３、周囲の臭気を検出する臭気センサ４４が接続され、制御部４０は、これらのセンサの検出値及びスイッチの検出状態を取り込む。床温度センサ４２ｃが温度を検出し、その検出値に基づいて、送風機駆動回路５１を制御して送風機８の風量を制御する点以外は、実施形態３と同じ制御系統である。
【０１３７】
図１８は、本実施形態に係る空気清浄機の制御部４０の処理手順を示すフローチャートである。制御部４０の処理手順は、実施形態３（図１２）のステップＳ３１２とステップＳ３１３との間に、新たに床温度センサ４２ｃの検出温度が３５℃以上あるかないかを判定して、３５℃以上の場合は待機し、３５℃以下の場合は次のステップに進む処理が設けられている。
【０１３８】
また、図１９に示すように、実施形態３（図１３）の温度表示ランプに加えて、ホットカーペットが動作しているときに暖色系の色で点灯する温度表示ランプ４を別途設けている。これにより、ユーザ（使用者）は、この表示を見て、ホットカーペットが動作して、空気清浄機のサーキュレート機能が停止していることを把握できる。
【０１３９】
以上のように、本実施形態によれば、床温度センサ４２ｃにより、床表面付近の温度を検出して、例えば３５℃以上を検出したときはホットカーペットが動作していると判断して（一般にホットカーペット使用時には床表面温度が４０℃〜４５℃程度になる）、サーキュレート機能を停止するように空気清浄機の送風機の回転を制御することができる。これにより、ホットカーペット使用時のように、室内の風速を抑えて体感温度を高く保つことが望ましい場合には、サーキュレート機能を停止して、消費電力を節約できる。
【図面の簡単な説明】
【０１４０】
【図１】実施形態１の空気清浄機を正面右上から見た略示斜視図である。
【図２】実施形態１の空気清浄機の内部構成を示す略示右側断面図である。
【図３】実施形態１の空気清浄機の制御系統の概略構成を示すブロック図である。
【図４】実施形態１の制御部の処理手順を示すフローチャートである。
【図５ａ】実施形態１の制御部の処理手順を示すフローチャートである。
【図５ｂ】実施形態１の制御部の処理手順を示すフローチャートである。
【図５ｃ】実施形態１の制御部の処理手順を示すフローチャートである。
【図６】サーキュレート運転した場合とサーキュレート運転しない場合との温度推移のグラフである。
【図７】実施形態２の制御部の処理手順を示すフローチャートである。
【図８】暖房運転を行ったときの温度変化を示したグラフである。
【図９】暖房運転を行ったときの温度変化を示したグラフである。
【図１０】実施形態３の空気清浄機を正面右上から見た略示斜視図である。
【図１１】実施形態３の空気清浄機の制御系統の概略構成を示すブロック図である。
【図１２】実施形態３の制御部の処理手順を示すフローチャートである。
【図１３】温度表示ランプの表示図である。
【図１４】実施形態４の空気清浄機を正面右上から見た略示斜視図である。
【図１５】実施形態４の空気清浄機の制御系統の概略構成を示すブロック図である。
【図１６】実施形態４の制御部の処理手順を示すフローチャートである。
【図１７】実施形態５の空気清浄機の制御系統の概略構成を示すブロック図である。
【図１８】実施形態５の制御部の処理手順を示すフローチャートである。
【図１９】温度表示ランプの表示図である。
【符号の説明】
【０１４１】
１  空気清浄機
２  筐体
６  フィルタ押え枠
８  送風機
９  ファンモータ
１０  ファン
１３  操作表示部
１７  加湿器
４０  制御部
４２ａ、４２ｂ  温度センサ
４２ｃ  床温度センサ
４５  湿度センサ
４８  操作ボタン
４９ａ、４９ｂ  表示ランプ
５１  送風機駆動回路
５２  加湿器駆動回路
【図１】
2010002068.tif 000003
【図２】
2010002068.tif 000004
【図３】
2010002068.tif 000005
【図４】
2010002068.tif 000006
【図５ａ】
2010002068.tif 000007
【図５ｂ】
2010002068.tif 000008
【図５ｃ】
2010002068.tif 000009
【図６】
2010002068.tif 000010
【図７】
2010002068.tif 000011
【図８】
2010002068.tif 000012
【図９】
2010002068.tif 000013
【図１０】
2010002068.tif 000014
【図１１】
2010002068.tif 000015
【図１２】
2010002068.tif 000016
【図１３】
2010002068.tif 000017
【図１４】
2010002068.tif 000018
【図１５】
2010002068.tif 000019
【図１６】
2010002068.tif 000020
【図１７】
2010002068.tif 000021
【図１８】
2010002068.tif 000022
【図１９】
2010002068.tif 000023